(57)【要約】      （修正有）【課題】背負い式収納袋へ極めて簡便に後付けできると共に、取付位置を良好に保持できるチェストストラップを提供する。【解決手段】チェストストラップ１は、連結帯２の両端にそれぞれ設けたクリップ４によって、背負い式収納袋１００の第１、第２ショルダーベルト１０２ａ、１０２ｂに取り付けたり、取り外したりできる。連結帯は、少なくとも第１連結帯部２１と第２連結帯部２２に分割し、接続・分離が可能な雄バックルと雌バックルからなるバックル３を、第１連結帯部と第２連結帯部との間に有する。クリップを第１、第２ショルダーベルトに取り付けたままバックルを分離させれば、第１連結帯部と第２連結帯部が付いたままの第１、第２ショルダーベルトを肩から外して背負い式収納袋を下ろせる。【選択図】図１
0003221810.tif 000002
【実用新案登録請求の範囲】
【請求項１】
背負い式収納袋に設けられた一対のショルダーベルトを胸元で引きつけて、ずれ落ちを防ぐチェストストラップにおいて、
長さを調整可能で、前記一対のショルダーベルトを繋ぐための連結帯と、
前記連結帯の両端に夫々設けられ、一対の押圧体が離隔して前記ショルダーベルトを挿入可能に開いた開状態と、前記一対の押圧体が近接して前記ショルダーベルトを挟み込める閉状態とに変換可能なクリップと、
を備えることを特徴とするチェストストラップ。
【請求項２】
前記連結帯は、少なくとも第１連結帯部と第２連結帯部に分割し、接続・分離が可能な雄バックルと雌バックルからなるバックルを、前記第１連結帯部と前記第２連結帯部との間に設けた、
ことを特徴とする請求項１に記載のチェストストラップ。
【請求項３】
前記クリップは、第１押圧体の圧接部と第２押圧体の圧接部が離隔することで、前記ショルダーベルトを奥まで挿入可能な挟み込み空部が形成されることを特徴とする請求項１又は請求項２に記載のチェストストラップ。
【考案の詳細な説明】
【技術分野】
【０００１】
本考案は、背負い式収納袋に設けられた一対のショルダーベルトを胸元で引きつけて、ずれ落ちを防ぐチェストストラップに関する。
【背景技術】
【０００２】
リュックサック、バックパック、デイパック等の背負い式収納袋は、一対のショルダーベルトを腕から通して肩に掛け、収納袋本体を背負う構造である。背負い式収納袋を背負っていると、収納袋本体の重量がかかるショルダーベルトが肩からずれ落ちることがある。これを防ぐために、左右のショルダーベルトを胸元で引きつけるチェストストラップを標準で付けている製品がある。
【０００３】
また、チェストストラップが標準で装備されていない背負い式収納袋に、チェストストラップを後付けできるようにした考案も提案されている（例えば、特許文献１を参照）。特許文献１に記載のチェストストラップは、ショルダーベルト側のストラップ末端をリング状にし、このリング状のストラップ内にショルダーベルトを通ことにより、チェストストラップを取り付けるものとなっている。また、ショルダーベルトと接するストラップの内側には滑り止め樹脂を塗布することで、チェストストラップの取付位置がずれ難くなる工夫もされている。さらに、特許文献１に記載のチェストストラップは、雌雄要素から成るバックルをストラップの途中に備えており、バックルを外すだけで背負い式収納袋を下ろすことができる。
【先行技術文献】
【特許文献】
【０００４】
【特許文献１】登録実用新案第３２１０１５６号公報
【考案の概要】
【考案が解決しようとする課題】
【０００５】
しかしながら、特許文献１に記載のチェストストラップは、ショルダーベルトにストラップを取り付ける作業が繁雑である。しかも、特許文献１に記載のチェストストラップは、ショルダーベルトの所要位置に固定されていないことから、一旦下ろした背負い式収納袋を背負い直すときには、改めてチェストストラップを好適な位置に戻して締め直す作業が必要である。このように、特許文献１に記載のチェストストラップは、必ずしも利便性が高いものではなかった。
【０００６】
そこで、本考案は、背負い式収納袋へ極めて簡便に後付けできると共に、取付位置を良好に保持できるチェストストラップの提供を目的とする。
【課題を解決するための手段】
【０００７】
上記の課題を解決するための構成は、背負い式収納袋に設けられた一対のショルダーベルトを胸元で引きつけて、ずれ落ちを防ぐチェストストラップにおいて、長さを調整可能で、前記一対のショルダーベルトを繋ぐための連結帯と、前記連結帯の両端に夫々設けられ、一対の押圧体が離隔して前記ショルダーベルトを挿入可能に開いた開状態と、前記一対の押圧体が近接して前記ショルダーベルトを挟み込める閉状態とに変換可能なクリップと、を備えることを特徴とする。
【０００８】
また、上記構成において、前記連結帯は、少なくとも第１連結帯部と第２連結帯部に分割し、接続・分離が可能な雄バックルと雌バックルからなるバックルを、前記第１連結帯部と前記第２連結帯部との間に設けても良い。
【０００９】
また、上記構成において、前記クリップは、第１押圧体の圧接部と第２押圧体の圧接部が離隔することで、前記ショルダーベルトを奥まで挿入可能な挟み込み空部が形成されるものでも良い。
【考案の効果】
【００１０】
本考案に係るチェストストラップによれば、連結帯の両側に設けたクリップによって簡単に背負い式収納袋のショルダーベルトに取り付けることができる。しかも、クリップを外さない限り、連結帯の取付位置が良好に保持される。
【図面の簡単な説明】
【００１１】
【図１】本考案に係るチェストストラップを背負い式収納袋のショルダーベルトに取り付けた状態の外観斜視図である。
【図２】（Ａ）は閉状態にあるクリップの概略側面図である。（Ｂ）は開状態にあるクリップの概略側面図である。（Ｃ）はショルダーベルトを挟み込んだ閉状態にあるクリップの概略側面図である。
【考案を実施するための形態】
【００１２】
以下、本考案に係るチェストストラップの実施形態を添付図面に基づいて詳細に説明する。チェストストラップ１を取り付けることができる背負い式収納袋１００は、収納袋本体１０１を両肩で背負うための左右一対のショルダーベルト（例えば、第１ショルダーベルト１０２ａおよび第２ショルダーベルト１０２ｂ）が設けられたものである。リュックサック、バックパック、デイパック等のように、両肩で背負うための第１，第２ショルダーベルト１０２ａ，１０２ｂがあれば、チェストストラップ１を使って第１，第２ショルダーベルト１０２ａ，１０２ｂを胸元で引きつけ、ずれ落ちを防げる。
【００１３】
本実施形態のチェストストラップ１は、主として、連結帯２とバックル３と左右一対のクリップ４，４から成る。連結帯２は、第１連結帯部２１と第２連結帯部２２に分割され、第１連結帯部２１の接続端２１ａ（クリップ４を設ける取付端２１ｂの反対側）を雌バックル３１に、第２連結帯部２２の接続端２２ａ側（クリップ４を設ける取付端２２ｂの反対側）を雄バックル３２に取り付ける。
【００１４】
バックル３を構成する雌バックル３１と雄バックル３２は接続・分離が可能で、雌バックル３１と雄バックル３２を接続することにより、第１連結帯部２１と第２連結帯部２２が連結され、一体の連結帯２として機能する。このバックル３として、例えばサイドリリースタイプを用いれば、雄バックル３２と雌バックル３１の接続・分離を行う向きに第１連結帯部２１と第２連結帯部２２を取り付けられる。第１連結帯部２１の接続端２１ａは、雌バックル３１の帯取付部から外れないように取り付ける。一方、雄バックル３２の帯取付部は、帯状体を固定せずに繰り出したり戻したりできるアジャスタ構造としてあり、第２連結帯部２２の取付端２２ｂから雄バックル３２までの長さを調節することで、連結帯２全体の長さを調整できる。
【００１５】
バックル３の接続・分離構造は特に限定されないが、一例を示す。雄バックル３２には、弾性変形可能な第１係合爪片３２ａと第２係合爪片３２ｂを設け、雌バックル３１内に形成した係合受け部に第１，第２係合爪片３２ａ，３２ｂがそれぞれ係合することで、雌バックル３１と雄バックル３２が接続される。雌バックル３１には、第１操作凹部３１ａと第２操作凹部３１ｂを設けてあり、雌バックル３１と雄バックル３２を接続したとき、第１操作凹部３１ａに第１係合爪片３２ａの一部が、第２操作凹部３１ｂに第２係合爪片３２ｂの一部が突出した状態となる。そして、第１，第２操作凹部３１ａ，３１ｂを手指等で押し、第１，第２係合爪片３２ａ，３２ｂを押し込むと、第１，第２係合爪片３２ａ，３２ｂが弾性変形して係合受け部から外れ、雌バックル３１と雄バックル３２が分離可能となる。
【００１６】
連結帯２の両端（第１連結帯部２１の取付端２１ｂと第２連結帯部２２の取付端２２ｂ）に夫々設けるクリップ４，４は、第１ショルダーベルト１０２ａと第２ショルダーベルト１０２ｂに取り付けたり、取り外したりするものである。クリップ４は、第１押圧体４１と第２押圧体４２が離隔して第１，第２ショルダーベルト１０２ａ，１０２ｂを挿入可能に開いた開状態と、第１，第２押圧体４１，４２が近接して第１，第２ショルダーベルト１０２ａ，１０２ｂを挟み込める閉状態とに変換する。
【００１７】
クリップ４の一例を、図２に示す。閉状態におけるクリップ４は、第１押圧体４１の圧接部４１ａと第２押圧体４２の圧接部４２ａが近接状に向き合い、第１，第２ショルダーベルト１０２ａ，１０２ｂを差し込める空間は無い（図２（Ａ）を参照）。この閉状態において、帯取付部を兼ねる開閉操作部４３は、連結帯２の張引方向（図２（Ａ）においては左右方向）に位置する。
【００１８】
クリップ４の開閉操作部４３を回転操作する（例えば、図２（Ｂ）におけるα方向へ約９０度回転させる）と、適宜なリンク機構が作用し、第１押圧体４１の圧接部４１ａに対して第２押圧体４２の圧接部４２ａが離隔する方向（図２（Ｂ）におけるβ方向）へ移動する。そして、第１押圧体４１の圧接部４１ａと第２押圧体４２の圧接部４２ａとの間に、第１，第２ショルダーベルト１０２ａ，１０２ｂを奥まで挿入可能な挟み込み空部４４が形成された開状態となる。なお、第１押圧体４１の圧接部４１ａと第２押圧体４２の圧接部４２ａには、それぞれ挟み込み空部４４に向かって突出する歯列状の突起部４１ｂ，４２ｂを設けてある。
【００１９】
開状態にしたクリップ４の挟み込み空部４４へ第１，第２ショルダーベルト１０２ａ，１０２ｂを差し入れた後、開閉操作部４３を反回転操作する（例えば、図２（Ｃ）における−α方向へ約９０度回転させる）。これにより、クリップ４の適宜なリンク機構が作用して、第１押圧体４１の圧接部４１ａと第２押圧体４２の圧接部４２ａが近接する方向（図２（Ｃ）における−β方向）へ移動し、再び閉状態へ戻る。このとき、第１押圧体４１の圧接部４１ａと第２押圧体４２の圧接部４２ａとの間には、第１，第２ショルダーベルト１０２ａ，１０２ｂが挟み込まれ、クリップ４，４を介して連結帯２が第１，第２ショルダーベルト１０２ａ，１０２ｂの間に固定される。しかも、第１押圧体４１の圧接部４１ａと第２押圧体４２の圧接部４２ａに設けた突起部４１ｂ，４２ｂが、第１，第２ショルダーベルト１０２ａ，１０２ｂの表面から食い込んだ状態となるので、チェストストラップ１の使用時にクリップ４，４が外れるような不具合は起き難い。なお、チェストストラップ１を第１，第２ショルダーベルト１０２ａ，１０２ｂから取り外すときには、開閉操作部４３を回転操作してクリップ４，４を開状態に変換すれば良い。
【００２０】
上述したように、本実施形態のチェストストラップ１は、クリップ４，４によって背負い式収納袋１００へ極めて簡便に後付けできる。しかも、背負い式収納袋１００を下ろすとき、チェストストラップ１のバックル３を外す（雌バックル３１と雄バックル３２に分離する）だけで、第１，第２ショルダーベルト１０２ａ，１０２ｂを肩から外せるようになる。すなわち、第１連結帯部２１と第２連結帯部２２は、第１，第２ショルダーベルト１０２ａ，１０２ｂに取り付けたまま残せるので、チェストストラップ１の取付位置を良好に保持できる。
【００２１】
以上、本考案に係るチェストストラップの実施形態を添付図面に基づいて説明したが、本考案は、この実施形態に限定されるものではなく、実用新案登録請求の範囲に記載の構成を変更しない範囲で、公知既存の等価な技術手段を転用することにより実施しても構わない。
【符号の説明】
【００２２】
１    チェストストラップ
２    連結帯
２１  第１連結帯部
２２  第２連結帯部
３    バックル
４    クリップ
４１  第１押圧体
４２  第２押圧体
１００    背負い式収納袋
１０２ａ  第１ショルダーベルト
１０２ｂ  第２ショルダーベルト
【図１】
0003221810.tif 000003
【図２】
0003221810.tif 000004